(57)【要約】【課題】背面部に開口部を形成したクリアケースに、舌片を設けたフィルム本体を止着し、舌片をクリアケースの開口部から挿入して内部に収納した化粧料収納容器に止着すると、クリアケースが振動を受けても収納した化粧料収納容器はこの振動によっては回転せず、常に正面位置を維持できるから商品の外観が良好に保たれる。【解決手段】少なくとも正面側２を透明又は半透明とし背面側４に開口部３を設けたクリアケース１を形成する。そして、フィルム本体７に切込みを設けて形成した舌片８を、クリアケース１に収納した化粧料収納容器５の背面にクリアケース１の開口部３を介して止着し、化粧料収納容器５の回転を防止する。【選択図】図１
2006240647.tif 000002
【特許請求の範囲】
【請求項１】
少なくとも正面側を透明又は半透明とし背面側に開口部を形成したクリアケースと、このクリアケースの正面側に正面部を配置して収納する化粧料収納容器と、表面に表面粘着層を形成したフィルム本体の一部に切込みを設けて舌片を形成し、このフィルム本体を表面粘着層を介してクリアケースの背面側に止着したときに舌片を開口部を介して化粧料収納容器の背面に止着して化粧料収納容器の回転防止を可能とした固定フィルムとからなる包装化粧品。
【請求項２】
固定フィルムは、フィルム本体の裏面に裏面粘着層を形成し、この裏面粘着層を介して基盤フィルムに止着するとともに舌片と基盤フィルムとの間には粘着層を形成せずに、基盤フィルムと舌片は非止着状態としたことを特徴とする請求項１の包装化粧品。
【請求項３】
舌片は、フィルム本体と舌片との接続辺を化粧料収納容器の引出方向に配置した状態で開口部を介して化粧料収納容器の背面に止着可能とすることにより、使用者がクリアケースから化粧料収納容器を取り出す際に開口部の引出方向縁に舌片が係合して、引出方向に折り返されながら化粧料収納容器から剥離可能とすることを特徴とする請求項１の包装化粧品。
【請求項４】
化粧料収納容器は、円筒形又は楕円筒形であることを特徴とする請求項１の包装化粧品。
【発明の詳細な説明】
【技術分野】
【０００１】
本発明は、搬送・展示等に於いて加えられる振動でケース内に収納した化粧料収納容器が回転して化粧料収納容器の側面や背面がケースの正面側を向くことにより、商品の外観が損なわれることを防止するための包装化粧品に関するものである。
【背景技術】
【０００２】
【特許文献１】特開２００４−１０１４７号公報
【０００３】
一般的に、ケース内に化粧料収納容器を収納した商品の場合には、搬送・展示等に於いて加えられる振動によってケース内で化粧料収納容器が回転し、化粧料収納容器の側面や背面がケースの正面側を向いてしまうことがあり、店頭に陳列した場合に商品の外観が悪くなるという問題点を有している。
【０００４】
そこで従来より、特許文献１に示す如く、ケースの内面に凹凸部を設け、この凹凸部で化粧料収納容器を支持することにより化粧料収納容器をケース内に支持し、搬送・展示等に於いて加えられる振動による化粧料収納容器のケース内での回転を防止する技術が存在している。
【発明の開示】
【発明が解決しようとする課題】
【０００５】
しかし、上記の如く構成した場合であっても、使用時の化粧料収納容器の取り出し易さを確保しつつケース内での化粧料収納容器の回転を完全に防止することは困難であった。即ち、化粧料収納容器の回転を完全に防止すべく化粧料収納容器を凹凸部で支持する場合には、凹凸部で化粧料収納容器を強く圧迫する必要がある。しかし、このようにすると需用者が化粧料収納容器をケースから取り出す際に強い力で化粧料収納容器をケースから引き抜くことが必要となり、使い勝手が悪いものとなる。一方、化粧料収納容器をケースから引き抜き易くするために化粧料収納容器と凹凸部の接触圧力を弱くすれば、化粧料収納容器がケース内で回転してしまうものとなる。また、凹凸部の形成に高い製造コストが必要となり、商品価格を高価なものとする欠点を生じる。
【０００６】
そこで本発明は、上述の如き課題を解決しようとするものであって、クリアケースに収納した化粧料収納容器が搬送・展示等に於いて加えられる振動によって回転することを防止するとともに、化粧料収納容器のクリアケースからの取り出しを容易とし、また、簡易な構成としたことによる包装材の減容化及びこれに伴う製造コストの低廉化を図るものである。
【課題を解決するための手段】
【０００７】
本発明は、上記課題を解決するため、少なくとも正面側を透明又は半透明とし背面側に開口部を形成したクリアケースと、このクリアケースの正面側に正面部を配置して収納する化粧料収納容器と、表面に表面粘着層を形成したフィルム本体の一部に切込みを設けて舌片を形成し、このフィルム本体を表面粘着層を介してクリアケースの背面側に止着したときに舌片を開口部を介して化粧料収納容器の背面に止着して化粧料収納容器の回転防止を可能とした固定フィルムとから構成したものである。
【０００８】
また、固定フィルムは、フィルム本体の裏面に裏面粘着層を形成し、この裏面粘着層を介して基盤フィルムに止着するとともに舌片と基盤フィルムとの間には粘着層を形成せずに、基盤フィルムと舌片は非止着状態としたものであってもよい。
【０００９】
また、舌片は、フィルム本体と舌片との接続辺を化粧料収納容器の引出方向に配置した状態で開口部を介して化粧料収納容器の背面に止着可能とすることにより、使用者がクリアケースから化粧料収納容器を取り出す際に開口部の引出方向縁に舌片が係合して、引出方向に折り返されながら化粧料収納容器から剥離可能としたものであってもよい。
【００１０】
また、化粧料収納容器は、円筒形又は楕円筒形であってもよい。
【発明の効果】
【００１１】
本発明に於いては、上述の如き構成とすることによって、化粧料収納容器の正面部をクリアケースの正面側に向けて収納した状態で、フィルム本体をクリアケースの背面側に開口部を被覆するように止着するとともに、フィルム本体に設けた舌片とクリアケース内に収納した化粧料収納容器を止着すれば、固定フィルムを介して化粧料収納容器をクリアケースに固定することとなる。したがって、クリアケースが搬送・展示等に於いて振動を受けても、クリアケースに収納した化粧料収納容器はこの振動によって回転することはなく、商品を陳列した際に商品の外観が良好に保たれる。また、クリアケースから化粧料収納容器を取り出す場合も、化粧料収納容器をクリアケースの取出口方向に引き出すのみで、舌片が折り返されながら化粧料収納容器の表面より剥離され、化粧料収納容器の取出しが容易となる。また、上述の如き簡易な構成とすることによって、包装材の減容化及びこれに伴う製造コストの削減も可能となる。
【実施例１】
【００１２】
以下、本発明の実施例１を図１乃至図７に於いて説明すれば、（１）はクリアケースでポリエチレンテレフタレート、ポリスチレン、ポリプロピレン等のシート状の樹脂材を折り込んで形成し、内部に収納した化粧料収納容器（５）が正面側（２）から透視可能となるように正面側（２）を透明又は半透明としている。また、このクリアケース（１）の背面側（４）には円筒形又は楕円筒形の化粧料収納容器（５）に臨ませて長方形状の開口部（３）を形成している。
【００１３】
また、上記開口部（３）を被覆してクリアケース（１）に止着するための固定フィルム（６）を形成する。この固定フィルム（６）には、図２に示す如くフィルム本体（７）の表面に表面粘着層（１１）を形成する。そして、図３に示す如くフィルム本体（７）にコ字型の切り込みを入れて舌片（８）を形成し、この舌片（８）の非切込部を接続辺（１３）とする。なお、この舌片（８）は、少なくとも開口部（３）に挿入可能な大きさとする。また、クリアケース（１）に収納する化粧料収納容器（５）の背面側は舌片（８）を止着可能とする平滑な表面形状としている。
【００１４】
上述の如く形成したものに於いて、フィルム本体（７）をクリアケース（１）に止着し、円筒形又は楕円筒形の化粧料収納容器（５）の回転を防止するためには、図４及び図５に示す如く、クリアケース（１）の背面側（４）で開口部（３）の外周に、開口部（３）を被覆するようフィルム本体（７）を表面粘着層（１１）を介して止着する。同時に舌片（８）をクリアケース（１）の開口部（３）から挿入し、表面粘着層（１１）を介して舌片（８）を化粧料収納容器（５）に止着する。これにより、化粧料収納容器（５）を舌片（８）に固定し、この舌片（８）を含む固定フィルム（６）をクリアケース（１）に固定することから、固定フィルム（６）を介して化粧料収納容器（５）をクリアケース（１）内に固定することとなる。したがって、搬送・展示等に於いてクリアケース（１）に振動が加えられても、化粧料収納容器（５）のクリアケース（１）内での回転を防止することが可能となり、商品を店頭に陳列した際にも化粧料収納容器（５）の背面や側面がクリアケース（１）の正面側（２）に位置して商品の外観が悪くなるということはない。また、このような簡易な構成とすることから、包装材の減容化、及びクリアケース（１）の製造コストの削減が可能となる。
【００１５】
また、上記舌片（８）と化粧料収納容器（５）の止着は、フィルム本体（７）と舌片（８）との接続辺（１３）を化粧料収納容器（５）の引出方向に配置した状態で行う。このように止着することにより、図６に示す如く、化粧料収納容器（５）をクリアケース（１）から引き出すと、舌片（８）が開口部（３）の引出方向縁（１４）に係合し、折り返されながら化粧料収納容器（５）から容易に剥離可能となる。そして、さらに化粧料収納容器（５）を引出方向に引き出すと、図７に示す如く舌片（８）は引出方向縁（１４）に係合したまま化粧料収納容器（５）から剥離する。
【００１６】
また、クリアケース（１）から化粧料収納容器（５）を取り出す際に、化粧料収納容器（５）から容易に舌片（８）を剥離可能とすることが必要であるため、表面粘着層（１１）には弱粘性の粘着剤を用いることが好ましい。しかし、クリアケース（１）に振動が加えられた場合にも、舌片（８）と化粧料収納容器（５）の止着関係が保持される粘着度が確保されなければならないことは当然である。また、本実施例では舌片（８）の形状をコ字型としているが、舌片（８）はクリアケース（１）の開口部（３）から挿入して化粧料収納容器（５）に止着可能な形状であればよく、他の異なる実施例に於いては半円形や半楕円形等とすることが可能である。
【実施例２】
【００１７】
また、上記の実施例１では、フィルム本体（７）の表面側にのみ粘着層を形成したが、実施例２では、図８及び図９に示す如く、フィルム本体（７）には表面側のみではなく裏面側にも裏面粘着層（１２）を形成し、この裏面粘着層（１２）を介してフィルム本体（７）に基盤フィルム（１０）を止着する。しかし、舌片（８）と基盤フィルム（１０）との間には裏面粘着層（１２）を形成せずに基盤フィルム（１０）と舌片（８）は非止着状態とすることにより、舌片（８）を基盤フィルム（１０）とは独立して化粧料収納容器（５）に止着可能としている。実施例１に於いては舌片（８）を化粧料収納容器（５）に止着した際にフィルム本体（７）と舌片（８）との間に間隙（１５）が生じ得る。しかし、本実施例のように固定フィルム（６）を形成することによりこの間隙（１５）を閉塞可能とし、この間隙（１５）からの商品の不正な改竄を防止したり、ホコリ等の侵入防止をすることが可能となる。
【図面の簡単な説明】
【００１８】
【図１】本発明の実施例１を示す斜視図。
【図２】固定フィルムの正面図。
【図３】図２のＡ−Ａ線断面図。
【図４】固定フィルムをクリアケースに止着した状態を示す斜視図。
【図５】図４のＢ−Ｂ線の断面図。
【図６】クリアケースからの化粧料収納容器の引出状態を示す断面図。
【図７】化粧料収納容器に止着した舌片が化粧料収納容器から完全に剥離した状態を示す断面図。
【図８】実施例２に於ける固定フィルムの断面図。
【図９】実施例２に於いて固定フィルムをクリアケースに止着した状態を示す断面図。
【符号の説明】
【００１９】
１  クリアケース
２  正面側
３  開口部
４  背面側
５  化粧料収納容器
６  固定フィルム
７  フィルム本体
８  舌片
１０  基盤フィルム
１１  表面粘着層
１２  裏面粘着層
１３  接続辺
１４  引出方向縁
【図１】
2006240647.tif 000003
【図２】
2006240647.tif 000004
【図３】
2006240647.tif 000005
【図４】
2006240647.tif 000006
【図５】
2006240647.tif 000007
【図６】
2006240647.tif 000008
【図７】
2006240647.tif 000009
【図８】
2006240647.tif 000010
【図９】
2006240647.tif 000011